(57)【要約】【課題】  集光レンズの位置調整等、専門性を有する高度な調整作業を行わずとも、出力画像の画質を簡単に変更することができる画像読取装置を提供する。【解決手段】  本発明では、光源１３からの光線を集光手段２３で集光して画像読取対象物Ｆに照射し、得られた画像光を撮像手段に導き、画像読取対象物Ｆの画像情報をデジタル信号化して取り込むよう構成された画像読取装置において、集光手段２３は、集光特性が異なる少なくとも二種類のものを選択可能にして装置本体２に着脱自在に装着されることを特徴とする。集光手段２３を取り替えるのではなく、集光手段２３を光軸方向に変位させるようにしてもよい。【選択図】  図２
2006186799.tif 000002
【特許請求の範囲】
【請求項１】
光源からの光線を集光手段で集光して画像読取対象物に照射し、得られた画像光を撮像手段に導き、画像読取対象物の画像情報をデジタル信号化して取り込むよう構成された画像読取装置において、前記集光手段は、集光特性が異なる少なくとも二種類のものを選択可能にして装置本体に着脱自在に装着されることを特徴とする画像読取装置。
【請求項２】
各集光手段を位置決め可能にして取り付けるホルダーが設けられ、該ホルダーが位置決め可能にして装置本体に装着される請求項１に記載の画像読取装置。
【請求項３】
装置本体に収容凹部が形成され、ホルダーが位置決め可能にして収容凹部内に装着される請求項２に記載の画像読取装置。
【請求項４】
光源からの光線を集光手段で集光して画像読取対象物に照射し、得られた画像光を撮像手段に導き、画像読取対象物の画像情報をデジタル信号化して取り込むよう構成された画像読取装置において、前記集光手段を画像読取対象物に対して接離させる変位機構を備えてなることを特徴とする画像読取装置。
【請求項５】
写真フィルムからなる画像読取対象物を副走査方向に搬送するためのフィルムキャリアユニットを装置本体に着脱自在に備え、各集光手段は、フィルムキャリアユニット本体に着脱自在に装着される請求項１乃至４の何れか１項に記載の画像読取装置。
【発明の詳細な説明】
【技術分野】
【０００１】
本発明は、光源からの光線を集光レンズ等の集光手段で集光して写真フィルム等の画像読取対象物に照射し、得られた画像光をＣＣＤラインセンサ等の撮像手段に導き、画像情報をデジタル信号化して取り込むよう構成された画像読取装置に関する。
【背景技術】
【０００２】
従来、画像読取装置の一形態であるフィルムスキャナとして、複数のＬＥＤチップを主走査方向に沿って直線的に備えてなる赤色（Ｒ）、緑色（Ｇ）、青色（Ｂ）の光源からの光線を平行化レンズで平行光線化し、この平行光線化した光線を光軸に沿って直接的に送り出す、又はハーフミラーを介して光軸上に送り出し、さらにこの光線を光軸上に配置した集光レンズで集光して写真フィルムに照射するものが提供されている（例えば、特許文献１）。また、このフィルムスキャナが抱える問題を解決するために、本願出願人は、本願に先立って特願２００３−１５４０６３号を出願している。
【０００３】
【特許文献１】特開２０００−２４４７０５号公報
【発明の開示】
【発明が解決しようとする課題】
【０００４】
ところで、これらフィルムスキャナは、製品としては当然のことであるが、光学系の光軸、焦点等調整がメーカーサイドで完全になされた状態で出荷され、ユーザーの手に渡る。従って、光学系に関しては、基本的にはユーザー側に選択の自由度が無い。
【０００５】
しかしながら、デジタル画像はシャープネスが強い傾向にあり、ユーザーによっては、ソフトな画質の出力画像を望む場合がある。あるいは、よりシャープネスを強めてハードな画質の出力画像を望むユーザーがいるかもしれない。また、ユーザーによっては、明度が高い画質の出力画像あるいは明度が低い画質の出力画像を望む場合がある。さらには、経年変化によって光量調整が狂ってくることもある。これらは、集光レンズの位置調整等を行うことにより解決できる部分があるが、この調整作業には高度な専門性を要するため、従来はメーカーのサービスマンの専権事項であった。
【０００６】
そこで、本発明は、集光レンズの位置調整等、専門性を有する高度な調整作業を行わずとも、出力画像の画質を簡単に変更することができる画像読取装置を提供することを課題とするものである。
【課題を解決するための手段】
【０００７】
本発明に係る画像読取装置は、光源からの光線を集光手段で集光して画像読取対象物に照射し、得られた画像光を撮像手段に導き、画像読取対象物の画像情報をデジタル信号化して取り込むよう構成された画像読取装置において、前記集光手段は、集光特性が異なる少なくとも二種類のものを選択可能にして装置本体に着脱自在に装着されることを特徴とする。
【０００８】
上記構成によれば、曲率、透過率、屈折率、焦点距離等を変更したい場合、異なる集光手段に取り替える。例えば、画像読取対象物面に焦点を結ぶ焦点距離を持つ集光手段を選択すると、シャープネス（鮮鋭さ）が強いハードな画質の出力画像を得ることができる一方、焦点位置が画像読取対象物面からずれる焦点距離を持つ集光手段を選択すると、シャープネスが弱いソフトな画質の出力画像を得ることができる。
【０００９】
また、本発明に係る画像読取装置は、各集光手段を位置決め可能にして取り付けるホルダーが設けられ、該ホルダーが位置決め可能にして装置本体に装着される構成を採用することができる。かかる構成によれば、まず、集光手段をホルダーに取り付け、しかる後、ホルダーを装置本体に装着する。これによって、集光手段は装置本体に装着される。集光手段を集光特性が異なるものに取り替えるに当たっては、まず、ホルダーを装置本体から取り外し、次に、集光手段をホルダーから取り外した後、新たな集光手段をホルダーに取り付け、このホルダーを装置本体に装着する。集光手段をホルダーに取り付けるだけで両者間の位置決めができ、且つホルダーを装置本体に装着するだけで両者間の位置決めができるようになっているため、調整作業無しにだれでも簡単に取り替え作業を行える。
【００１０】
この場合、装置本体に収容凹部が形成され、ホルダーが位置決め可能にして収容凹部内に装着される構成を採用するのが好ましい。これによって、装置の外観は損なわれず、装置の小型化を図れる。
【００１１】
また、本発明に係る別の画像読取装置は、集光手段を取り替えるのではなく、光源からの光線を集光手段で集光して画像読取対象物に照射し、得られた画像光を撮像手段に導き、画像読取対象物の画像情報をデジタル信号化して取り込むよう構成された画像読取装置において、前記集光手段を画像読取対象物に対して接離させる変位機構を備えてなることを特徴とする。
【００１２】
上記構成によれば、集光手段を変位機構で変位させて焦点位置を変更する。これによって、集光レンズの位置調整等、専門性を有する高度な調整作業を行わずとも、出力画像の画質を簡単に変更することができる。
【００１３】
また、本発明に係る二つの画像読取装置においては、写真フィルムからなる画像読取対象物を副走査方向に搬送するためのフィルムキャリアユニットを装置本体に着脱自在に備え、各集光手段は、フィルムキャリアユニット本体に着脱自在に装着される構成を具体的に採用することができる。
【発明の効果】
【００１４】
以上の如く、本発明は、集光手段を集光特性が異なるものに取り替えて使用することができ、あるいは集光手段及び画像読取対象物間の距離を変更して集光手段を使用することができるようになっているため、集光レンズの位置調整等、専門性を有する高度な調整作業を行わずとも、出力画像の画質を簡単に変更することができる。
【発明を実施するための最良の形態】
【００１５】
以下、本発明に係る画像読取装置の一実施形態であるフィルムスキャナについて図面を参酌しつつ説明する。
【００１６】
本実施形態に係るフィルムスキャナは、図１に示す如く、光源ユニット１、フィルムキャリアユニット２、レンズユニット３、撮像ユニット４及び制御ユニット５を備え、写真フィルムＦの画像情報をデジタル信号化して取り込む。また、本実施形態に係るフィルムスキャナは、光源ユニット１からの光線をフィルムキャリアユニット２に支持された現像済みの写真フィルムＦに照射し、該写真フィルムＦを透過した光線をレンズユニット３から撮像ユニット４に導く光学系を具備している。
【００１７】
＜光源ユニット１の構成＞
図２に示す如く、光源ユニット１は、三原色光及び赤外光を発光するよう、多数の発光ダイオード１１，…を基板１２に置いて主走査方向に直線状に配置した光源としての発光ダイオードアレイ１３を備え、この発光ダイオードアレイ１３からの光線をフィルムキャリアユニット２の側に送り出す。
【００１８】
詳しくは、光源ユニット１は、樹脂成型品からなる上部ケース１４と、アルミニウム合金からなる下部ケース１５とを重ね合わせることにより内部に空間を形成した構造であり、この内部空間に対し、基板１２に支持される形態で３つの発光ダイオードアレイ１３，１３，１３を配置している。そして、この内部空間には、３つの発光ダイオードアレイ１３，１３，１３からの光線を平行光線化するシリンドリカルレンズ型の平行化レンズ１６を夫々の発光ダイオードアレイ１３に対応させて備え、且つこの平行化レンズ１６を介して送り出される光源からの光線を合流させる合流光学系を備え、このように合流させた光線を拡散によって平均化する拡散手段としての拡散板１７を備えている。
【００１９】
より詳しくは、内部空間の底面部に２つの基板１２，１２（第１基板、第２基板）を固定すると共に、内部空間の側壁部に１つの基板１２（第３基板）を固定し、第１基板１２にチップ状の多数の緑色の発光ダイオード１１，…を主走査方向に直線状に配置してなる緑色の発光ダイオードアレイ１３Ｇを備え、第２基板１２にチップ状の多数の青色の発光ダイオード１１，…を主走査方向に直線状に配置してなる青色の発光ダイオードアレイ１３Ｂを備え、第３基板１２にチップ状の多数の赤色の発光ダイオード１１，…とチップ状の多数の赤外光の発光ダイオード１１，…とを交互に主走査方向に配置してなる赤色・赤外光の発光ダイオードアレイ１３Ｒ・ＩＲを備え、夫々の発光ダイオードアレイ１３に対応する位置に、夫々の発光ダイオードアレイ１３からの光線を平行光線化するよう、夫々の発光ダイオード１１に焦点位置を設定した前記平行化レンズ１６を備えている。
【００２０】
そして、緑色の発光ダイオードアレイ１３Ｇからの光線を縦方向に送る縦姿勢の光源光軸を第１光軸Ｌ１に一致させ、青色の発光ダイオードアレイ１３Ｂからの光線を縦方向に送る縦姿勢の光源光軸を第２光軸Ｌ２に一致させ、赤色・赤外光の発光ダイオードアレイ１３Ｒ・ＩＲからの光線を横方向に送る横姿勢の光源光軸を第３光軸Ｌ３に一致させている（これら第１〜第３光軸Ｌ１，Ｌ２，Ｌ３は主光軸Ｌを構成する）。尚、光源光軸は、夫々の発光ダイオードアレイ１３の形成方向（主走査方向）での中央位置であって且つ基板１２に垂直となる仮想直線として設定されている。
【００２１】
また、第１光軸Ｌ１上に合流光学系としてダイクロイックミラー型の第１ミラー１８を配置し、該第１ミラー１８に対して青色の発光ダイオードアレイ１３Ｂからの光線及び赤色・赤外光の発光ダイオードアレイ１３Ｒ・ＩＲからの光線を送るよう、第３光軸Ｌ３の位置を設定し、該第３光軸Ｌ３上に同じく合流光学系としてダイクロイックミラー型の第２ミラー１９を配置し、該第２ミラー１９に対して青色の発光ダイオードアレイ１３Ｂからの光線を送るよう、第２光軸Ｌ２の位置を設定している。つまり、第２光軸Ｌ２上を送られる光線は第２ミラー１９での反射により第３光軸Ｌ３と一致する位置に送られ、この第３光軸Ｌ３上を送られる光線は第１ミラー１８での反射により第１光軸Ｌ１と一致する位置に送られるよう、光学的な位置関係が構成されている。
【００２２】
尚、緑色の発光ダイオードの波長は４００〜４８０ｎｍ、青色の発光ダイオードの波長は５２０〜５６０ｎｍ、赤色の発光ダイオードの波長は６２０〜７５０ｎｍ、赤外光の発光ダイオードの波長は８３０〜９５０ｎｍのものが使用される。そして、第１ミラー１８は、緑色の発光ダイオードからの光線を透過させ、これ以外の波長の光線を反射させる性能のものを使用し、第２ミラー１９は、赤色及び赤外光の発光ダイオードからの光線を透過させ、青色の発光ダイオードからの光線を反射させる性能のものを使用している。
【００２３】
＜フィルムキャリアユニット２の構成＞
フィルムキャリアユニット２は、現像済みの写真フィルムＦを圧着して搬送する搬送ローラ対２１と、該搬送ローラ対２１を駆動する駆動機構（図示しない）とを備えており、フィルムキャリアユニット２に形成されたスキャニングゲート２２に対して光線を導く位置にシリンドリカル型又はトロイダル型の集光レンズ２３を配置している。また、このスキャニングゲート２２の幅方向の中央位置で、写真フィルムＦのフィルム面が存在する位置に対して主走査方向に沿う姿勢のスキャニングラインＳＬが設定されている。
【００２４】
集光レンズ２３は、該集光レンズ２３の光軸（図中の第１光軸Ｌ１と一致する）に沿う方向に送られる光線をフィルムキャリアユニット２に支持される写真フィルムＦの表面（厳密には乳剤面であり、図中では写真フィルムＦの上面）に焦点を結ぶ形態で収束させるよう、焦点位置を設定してある。
【００２５】
図２及び図３に示す如く、集光レンズ２３は、ホルダー２４を介してフィルムキャリアユニット２に着脱自在に装着される。具体的には、フィルムキャリアユニット２本体の下面（光源ユニット１との対向面）にホルダー２４を収容するための収容凹部２５が形成され（図２参照）、集光レンズ２３を取り付けたホルダー２４が収容凹部２５に着脱自在に装着されるようになっている。
【００２６】
ホルダー２４は、第１光軸Ｌ１に沿って送られる光線を妨げないよう、開口部２４ａが形成された枠形状の形態を有する。また、ホルダー２４は、一端側に係合突起２４ｂを備え、他端側に弾性係合片２４ｃを備えている。即ち、フィルムキャリアユニット２の収容凹部２５に係合突起２４ｂ及び弾性係合片２４ｃのそれぞれと係合する係合部（図示しない）が形成され、ホルダー２４の係合突起２４ｂを対応する収容凹部２５の係合部と係合させた後、ホルダー２４を収容凹部２５内に完全に押し込むと、ホルダー２４の弾性係合片２４ｃが弾性変形し、対応する収容凹部２５の係合部と係合するようになっており、これにより、ホルダー２４即ち集光レンズ２３がフィルムキャリアユニット２本体にワンタッチで装着される。
【００２７】
ホルダー２４がフィルムキャリアユニット２本体に装着された状態にあっては、ホルダー２４は直交３方向（第１光軸Ｌ１方向及び第１光軸Ｌ１と直交する直交２軸方向）で収容凹部２５に拘束される。しかも、その状態で集光レンズ２３の光軸が第１光軸Ｌ１と一致する寸法設定になっている。ホルダー２４を取り外すに当たっては、収容凹部２５の係合部からホルダー２４の弾性係合片２４ｃが外れるように該弾性係合片２４ｃを弾性変形させ、しかる後、ホルダー２４をフィルムキャリアユニット２本体から離間させる。
【００２８】
集光レンズ２３は、射出成型品からなり、両面が所定の曲率からなる曲面で構成される偏平状体（略楕円筒状体）である。集光レンズ２３は、ホルダー２４に螺着されるビス、ネジ等を通す貫通孔２３ａを備えると共に、ホルダー２４に対する集光レンズ２３の位置決め用突起２３ｂを備えている。集光レンズ２３は、集光特性が異なる種々のものが提供されるが、何れの集光レンズ２３も位置決め用突起２３ｂを備えるため、何れの集光レンズ２３であってもホルダー２４に適正な位置関係で装着される。
【００２９】
＜レンズユニット３の構成＞
図４に示す如く、レンズユニット３は、フィルムキャリアユニット２に支持された写真フィルムＦの主走査方向に沿う領域からの可視光画像を撮像ユニット４に内蔵されたＣＣＤラインセンサ４１の光電変換面に結像させると同時に、写真フィルムＦの主走査方向に沿う領域からの赤外光画像を撮像ユニット４に内蔵された赤外光（ＩＲ）用のＣＣＤラインセンサ４２の光電変換面に結像させるよう機能するものである。また、レンズユニット３は、写真フィルムＦの画像を撮像ユニット４のラインセンサの光電変換面に対して任意の拡大率で結像させるよう、ズーム型の光学レンズ３１を備えている。
【００３０】
＜撮像ユニット４の構成＞
撮像ユニット４は、写真フィルムＦの可視光画像をＲ（赤）、Ｇ（緑）、Ｂ（青）の三原色に対応したデジタル信号化した画像データ（可視光データ）として取得すると同時に、写真フィルムＦのゴミや傷に起因する赤外光画像をゴミや傷に対応する欠陥データ（赤外光データ）として取得することを目的として、Ｒ（赤）、Ｇ（緑）、Ｂ（青）の三原色に対応した３ライン型のＣＣＤラインセンサ４１と、赤外光（ＩＲ）を感知する１ライン型のＣＣＤラインセンサ４２とを備えている。また、撮像ユニット４は、光学レンズ３１からの可視光を透過させ、赤外光を反射させるダイクロイックミラー型のスプリッター４３を備えている。
【００３１】
＜制御ユニット５の構成＞
撮像ユニット４で取得された画像データ及び欠陥データは、制御ユニット５に備えた半導体メモリやハードディスク等の記憶部に保存され、制御ユニット５は、必要な場合に記憶部に保存した画像データを欠陥データに基づいてその欠陥を除去する補正を行うと共に、外部からの要求により写真フィルムＦの画像データをコマ単位で出力するような処理形態が設定されている。
【００３２】
そして、制御ユニット５は、マイクロプロセッサと、前記記憶部と、信号のアクセスを実現するためのインターフェイスとを備え、しかも、撮像ユニット４での画像データ及び欠陥データの取得、フィルムキャリアユニット２における写真フィルムＦの搬送、レンズユニット３の光学レンズ３１の焦点距離の設定及び合焦の制御、そして、欠陥データに基づいて画像データを補正処理、を実現するためのプログラムを備えている。
【００３３】
以上の構成からなるフィルムスキャナによれば、写真フィルムＦのスキャニングを行う場合には、写真フィルムＦのサイズに適合したフィルムキャリアユニット２をスキャナ本体に装着し、そのフィルムキャリアユニット２に写真フィルムＦをセットした状態で、スキャニングを開始することにより、図５に示す如く、緑色の発光ダイオードアレイ１３Ｇからの光線は、平行化レンズ１６で平行光線化した状態で第１光軸Ｌ１に沿って送り出され、青色の発光ダイオードアレイ１３Ｂからの光線は、平行化レンズ１６で平行光線化した状態で第２光軸Ｌ２に沿って送り出された後、第２ミラー１９で反射されることによって第３光軸Ｌ３に沿って送り出され、しかる後、第１ミラー１８で反射されることによって第１光軸Ｌ１における光線に合流し、赤色・赤外光の発光ダイオードアレイ１３Ｒ・ＩＲからの光線は、平行化レンズ１６で平行光線化した状態で第３光軸Ｌ３に沿って送り出された後、第１ミラー１８で反射されることによって第１光軸Ｌ１における光線に合流するものとなる。
【００３４】
そして、これらの波長の光線は、第１光軸Ｌ１上において混合することにより白色光となると共に、拡散板１７で拡散されることにより主走査方向での光量の分布が平均化し、この光線を集光レンズ２３で写真フィルムＦのフィルム面に焦点を結ぶ形態で集光することにより、結果として、赤外光を含み、可視光的には白色となる光線をスキャニングラインＳＬ方向で光量を平均化させた状態で写真フィルムＦに照射するものとなっている。
【００３５】
このように、写真フィルムＦに照射される光線は、集光レンズ２３に到達する以前に拡散板１７によって散乱するので、主走査方向での光量の不均一を低減して、この主走査方向での光量の分布を平均化させており、しかも、発光ダイオードアレイ１３からの光線を平行化レンズ１６で平行光線化し、拡散板１７で拡散した光線を集光レンズ２３によってスキャニングゲート２２内の写真フィルムＦのフィルム面（乳剤面）に焦点を結ぶ形態で集束させるので、光量を無駄にすることのないものとなっている。
【００３６】
加えて、本実施形態に係るフィルムスキャナによれば、集光レンズ２３として集光特性が異なる種々のものを選択可能であるため、非常に有用である。例えば、光量をさらに増やしたい場合は、図６（イ）に示す如く、より曲率の大きな集光レンズ２３を選択して集光度を高めればよい。集光度が高まるということは、写真フィルムＦを透過する光線の透過光量が増えるということなので、明度が高い画質の出力画像を得ることができる。
【００３７】
また、写真フィルムＦのフィルム面に焦点を結ぶ集光レンズ２３では、シャープネス（鮮鋭さ）が強い画質の出力画像になってしまうということであれば、図６（ロ）や（ハ）に示す如く、焦点距離の異なる集光レンズ２３を選択して焦点位置が写真フィルムＦのフィルム面からずれるようにすればよい。これによると、光束密度が下がるため、シャープネスが弱いソフトな画質の出力画像を得ることができる。
【００３８】
しかも、本実施形態に係るフィルムスキャナによれば、集光レンズ２３をホルダー２４に取り付けるだけで両者間の位置決めができるようになっており、ホルダー２４をフィルムスキャナユニット２本体に装着するだけで両者間の位置決めができるようになっており、集光レンズ２３の取り替えに際して調整作業は不要である。
【００３９】
尚、本発明に係る画像読取装置は、上記実施形態に限定されるものではなく、本発明の要旨を逸脱しない範囲で種々の変更が可能である。
【００４０】
例えば、上記実施形態では、集光レンズ２３を取り替えると、光量が変化するため、これに伴って、レンズユニット３に内蔵されている絞り機構（シャッター機構）の絞り量を変更するようにしているが、絞り量を変更する代わりに、撮像素子の信号（電荷）蓄積時間を変更するようにしてもよい。例えば、集光度の高い集光レンズを選択する程、撮像素子の信号（電荷）蓄積時間を短くすることができ、これにより、主走査時間が短くなる分、副走査時間も短くなり、画像読取処理の処理速度が速くなって処理能力（ひいては、画像出力処理の処理能力）を向上させることができる。
【００４１】
また、上記実施形態では、集光特性が異なる種々の集光レンズ２３を選択的に装着するようにし、且つ集光レンズ２３を偏平状体（略楕円筒状体）とすることで省スペース化が図られているが、スペース的に問題とならないのであれば、集光レンズを光軸に沿って変位させる（即ち、画像読取対象物に対して接離させる）変位機構を設け、これにより、焦点位置を変更するようにすれば、集光特性が異なる種々の集光レンズを選択的に装着する場合と同様の効果が得られる。変位機構の具体例としては、例えば、集光レンズを保持するホルダーが光軸に沿って配置されたガイドに沿って移動自在となっており、同じく光軸に沿って配置されたボールネジに螺合するナットがホルダーに固定され、ボールネジの回転によりホルダーを変位させる構成が挙げられる。
【００４２】
また、上記実施形態では、集光レンズ２３及びホルダー２４に両者間の位置決めを可能とする位置決め構造を設けると共に、ホルダー２４及びフィルムキャリアユニット２本体にも両者間の位置決めを可能とする位置決め構造を設け、これにより、ホルダー２４を介して集光レンズ２３をフィルムキャリアユニット２本体に装着し且つ集光レンズ２３及びフィルムキャリアユニット２間の位置決めがなされるようになっているが、集光レンズ及び／又はフィルムキャリアユニット本体に両者間の位置決めを可能とする位置決め構造を設け、集光レンズを直接フィルムキャリアユニット本体に装着するようにしてもよい。
【００４３】
また、上記実施形態では、集光レンズ２３はフィルムキャリアユニット２に着脱自在に装着されるようになっているが、これに限定されず、光源ユニット１に着脱自在に装着されるようになっていてもよい。
【００４４】
また、上記実施形態では、画像読取装置としてフィルムスキャナについて言及しているが、コピー機、一般のスキャナー等であってもよい。従って、画像読取対象物も写真フィルムに限定されるものではない。
【００４５】
また、上記実施形態では、画像読取対象物が透過性を有することで、該画像読取対象物の一面側に光源、他面側に撮像手段を配置しているが、画像読取対象物が非透過性であるために光源及び撮像手段を共に同じ側に配置したものも本発明の対象とする。
【図面の簡単な説明】
【００４６】
【図１】本実施形態に係るフィルムスキャナの斜視図を示す。
【図２】同実施形態に係るフィルムスキャナの光源ユニット及びフィルムキャリアユニットの要部断面図を示す。
【図３】同実施形態に係るフィルムスキャナのフィルムキャリアにおいて集光レンズを着脱自在とする説明図を示す。
【図４】同実施形態に係るフィルムスキャナの光学系を模式化した斜視図を示す。
【図５】同実施形態に係るフィルムスキャナの光学系を模式化した正面図を示す。
【図６】同実施形態に係るフィルムスキャナのフィルムキャリアにおいて各種の集光レンズが選択される状態の説明図を示す。
【符号の説明】
【００４７】
１  光源ユニット
１１  発光ダイオード
１３  発光ダイオードアレイ
１６  平行化レンズ（平行化手段）
１７  拡散板（拡散手段、光量平均化手段）
１８  第１ミラー
１９  第２ミラー
２  フィルムキャリアユニット
２３  集光レンズ（集光手段）
２３ｂ  位置決め用突起
２４  ホルダー
２４ｂ  係合突起
２４ｃ  弾性係合片
３  レンズユニット
４  撮像ユニット
４１，４２  ＣＣＤラインセンサ
【図１】
2006186799.tif 000003
【図２】
2006186799.tif 000004
【図３】
2006186799.tif 000005
【図４】
2006186799.tif 000006
【図５】
2006186799.tif 000007
【図６】
2006186799.tif 000008